(57)【要約】【課題】  ただ印刷したのみのコンピュータグラフィックスの立体風な画像の表現では、奥行きが感じられず、どうしてもその表現が平面的過ぎて飽きられる傾向にあり、また、フィルムシートのみでは単一色の色での表現となるため、立体感を持たせる事が難しい。さらに、実際の金属の切文字・彫刻文字ではコストが掛かるため、表示の変更が極めて困難である。【解決手段】  コンピュータグラフィックでグラデーション・ぼかし・シャドウ等で表現した立体風な画像を作成し、透明シートを重ね、画像に沿った形に切り抜いたイラスト・画像を含む別シートを貼り、平面でありがながら立体的表現をする。【選択図】  図１
2008296488.tif 000002
【特許請求の範囲】
【請求項１】
シート（1）にグラデーション・ぼかし・シャドウ・エンボス等で表現したコンピュータグラフィックスの立体風な画像の上に、透明シート（2）を重ね、さらに画像に沿った形に切り抜いたイラスト・画像を含む別シート（3）を貼り、平面でありがながら立体的表現を実現した装飾物。
【請求項２】
塩ビシート（1）に溶剤系インクジェットでグラデーション・ぼかし・シャドウ・エンボス等を使用した立体風な画像を印刷し、UVカット率の高いラミネート（2）で覆い、印刷面を保護した上にフィルムシートの切文字（3）を貼り、平面でありがながら立体的表現を実現した屋外掲示可能な装飾シート。
【請求項３】
前記請求項2のシート（1）に透過性シートを使用した装飾シート。
【請求項４】
前記請求項1・請求項2記載のシート（1）に木目調を使用した彫刻風装飾シート。
【請求項５】
前記別シート（3）がメタルカラーで金属製品調の請求項1・請求項2記載の装飾物。
【請求項６】
前記別シート（3）がステンレス板・銅版等金属製品の請求項1・請求項2記載の装飾物。
【請求項７】
前記請求項1・請求項2記載の透明シート（2）にガラス・レンズ・アクリルなどの透明素材を使用し、さらに立体感を持たせた装飾表示。
【請求項８】
前記請求項1・請求項2記載の装飾シートをアルミ・アクリル板などのあらゆるパネル素材に貼った装飾プレート。
【請求項９】
前記請求項1記載の装飾シートを紙・本などのあらゆる印刷媒体に貼った装飾表示。
【請求項１０】
前記請求項1・請求項2記載の装飾シートを工業製品・玩具などのあらゆる製品に貼った装飾表示。
【発明の詳細な説明】
【技術分野】
【０００１】
本発明はあらゆる印刷物における表示を平面でありながら、立体的表現を実現した装飾シートに関し、さらに詳しくはシート（1）に立体風画像を印刷し、透明シート（2）を施した上、前記立体風画像に沿った形に切り抜いた別シート（3）を貼り、立体的な表現を実現した装飾物に関する。
【背景技術】
【０００２】
（その1）
従来の立体表現ではグラデーション・ぼかし・シャドウ・エンボス等のコンピュータグラフィックスの立体風な画像を表現し、立体的に見えるようにしていた。
（その2）
また、フィルムシートでは、数種類の色の違うフィルムシートを使用した切文字を重ね貼りし、立体感を持たせていた。
（その3）
さらには、実際の金属の切文字・彫刻文字を使用し立体の表示をした。
【発明の開示】
【発明が解決しようとする課題】
【０００３】
しかしながら、ただ印刷したのみのコンピュータグラフィックスの立体風な画像の表現では、奥行きが感じられず、どうしてもその表現が平面的過ぎて飽きられる傾向にあり、また、フィルムシートのみでは単一色の色での表現となるため、立体感を持たせる事が難しい。さらに、実際の金属の切文字・彫刻文字ではコストが掛かるため、表示の変更が極めて困難である。以上の点を課題とする。
【課題を解決するための手段】
【０００４】
そのため、コンピュータグラフィックでグラデーション・ぼかし・シャドウ等で表現した立体風な画像を作成し、透明シートを重ね、画像に沿った形に切り抜いたイラスト・画像を含む別シートを貼り、平面でありがながら立体的表現をする。
【発明の効果】
【０００５】
（その1）
本発明の立体表現装飾物はコンピュータグラフィックスの立体風な画像を表現した上に、透明シートを重ね、さらに画像に沿った形に切り抜いたイラスト・画像を含む別シートを貼ることにより、平面でありがながら三層のシートからなる立体的な表現を実現した装飾シート。
（その2）
本発明の立体的表現装飾物は塩ビシートに高発色の溶剤系インクジェットで印刷した上、耐久性・UVカット率に優れたラミネートで覆い、印刷面を保護した上に異なる素材であるフィルムシートの切文字を貼ることにより、屋外での使用が可能なため、屋外広告（看板）・銘鈑・表札等、立体効果のある表現ができる。
（その3）
また、別シートにメタルシートを使用することで、金属製品調の製品を低コストで提供でき、別シートの替わりに金属の切文字を使用することで、より強い立体感を持たせることができる。
（その4）
本発明はあらゆる印刷媒体に使用可能なため、立体的な視覚効果の高い表示が可能である。
（その5）
本発明はシート形状のため、あらゆる工業製品・玩具などに貼ることができ、従来では表現できないインパクトの強いロゴタイプ・イラスト・写真等の表示ができる。
（その6）
さらには、透明シートにガラス・レンズ・アクリルなどの透明素材を代替することで、角度により様々な立体的な視覚効果を実現する。
【発明を実施するための最良の形態】
【０００６】
本発明は、シート（1）にコンピューグラフィックでグラデーション・ぼかし・シャドウ等で表現した立体風な画像を印刷し、透明シート（2）を重ね、その上に画像に沿った形に切り抜いたシート（3）を貼り、立体感を持たせた装飾物。
【実施例】
【０００７】
（実施形態1）
図1で、シート（1）にグラデーション・ぼかし・シャドウ・エンボス等で表現したコンピュータグラフィックスの立体風な画像の上に、透明シート（2）を重ね、さらに画像に沿った形に切り抜いたイラスト・画像を含む別シート（3）を貼り、立体感を現出させる。紙・本などのあらゆる印刷媒体に使用が可能。
また、シート（1）シート（2）シート（3）の素材を変化させ図2〜図5のような形態が可能。
（実施形態2）
図6では、シート（1）に塩ビシートを使用し、溶剤系インクジェットでグラデーション・ぼかし・シャドウ・エンボス等を使用した立体風画像を印刷した上、UVカット率の高いラミネート（2）で覆い、印刷面を保護した上にフィルムシートの切文字（3）を貼る。、広告（看板）・銘鈑・表札等、平面でありがながら立体的表現を実現した屋外掲示可能な表示。
また、耐久性に優れ工業製品・玩具などのあらゆる製品に貼ることができる。
（実施形態3）
図7ではシート（1）に透過性シートを使用し、溶剤系インクジェットで立体風画像を印刷し、ラミネート（2）で覆った上に、印刷面を保護した上にフィルムシートの切文字（3）を貼ることにより、裏面から光を照射することでライティングが可能になる。
【図面の簡単な説明】
【０００８】
【図１】基本構造のアイソメ図。
【図２】シート（1）に木目調シートを用いたアイソメ図。
【図３】シート（3）にメタルカラーの切り抜いたシートを用いたアイソメ図。
【図４】シート（3）部分に金属切文字を用いたアイソメ図。
【図５】透明シート（2）部に厚みのある透明素材を使用した例のアイソメ図。
【図６】ライティング仕様のアイソメ図
【図７】多様な素材に直接表現したプレートのアイソメ図
【符号の説明】
【０００９】
・  グラデーション・ぼかし・シャドウ・エンボス等で表現したコンピュータグラフィックスの立体風な画像の層
・  透明シート
・  画像に沿った形に切り抜いたイラスト・画像を含む別シート
【図１】
2008296488.tif 000003
【図２】
2008296488.tif 000004
【図３】
2008296488.tif 000005
【図４】
2008296488.tif 000006
【図５】
2008296488.tif 000007
【図６】
2008296488.tif 000008
【図７】
2008296488.tif 000009